(57)【要約】【課題】被固定物を効果的に固定できる固定装置および携帯電話スタンドを提供する。【解決手段】固定装置および携帯電話スタンドを開示する。当該固定装置は、吸着カップと、前記吸着カップに接続され、空気を吸引して吸着カップで負圧を形成し、被固定物を吸着して固定することに用いられるエアポンプとを含む。当該固定装置は、エアポンプで吸着カップの中の空気を吸い取ることによって、被固定物と吸着カップを確実に固定させ、被固定物の落下を防止し、固定装置の安定性および信頼性を高める。【選択図】図１
2020039111.tif 000002
【特許請求の範囲】
【請求項１】
吸着カップと、
前記吸着カップに接続され、空気を吸引して前記吸着カップで負圧を形成し、電子製品である被固定物を吸着して固定することに用いられるエアポンプと、を含むことを特徴とする固定装置。
【請求項２】
内部に前記エアポンプが固定されたケースをさらに含み、
前記吸着カップは、前記ケースの外部に設けられ、空気案内管を介して前記エアポンプに接続される、ことを特徴とする請求項１に記載の固定装置。
【請求項３】
前記エアポンプは、マイクロ圧電エアポンプである、ことを特徴とする請求項２に記載の固定装置。
【請求項４】
前記吸着カップは、軟質ゴム吸着カップである、ことを特徴とする請求項３に記載の固定装置。
【請求項５】
前記吸着カップは、漏斗部と前記漏斗部の外側を囲む環状部とから構成され、吸着カップカバープレートを介して前記ケースの外側に固定される、ことを特徴とする請求項４に記載の固定装置。
【請求項６】
前記吸着カップカバープレートには、前記吸着カップと前記被固定物との摩擦力を大きくするための一方向案内模様付の軟質ゴム滑り止めマットが設けられている、ことを特徴とする請求項５に記載の固定装置。
【請求項７】
請求項１〜６のいずれか一項に記載の固定装置を含む、ことを特徴とする携帯電話スタンド。
【請求項８】
請求項２〜６のいずれか一項に記載の固定装置を含み、
前記ケースの内部に設けられ、前記ケースの外部に延び出るＵＳＢインタフェースが設けられた充電回路板と、
前記ケースの内部の片側に設けられて前記充電回路板に電気的に接続された無線充電送信コイルと、
前記充電回路板と前記無線充電送信コイルとの間に設けられた磁性シートと、をさらに含む、ことを特徴とする携帯電話スタンド。
【請求項９】
前記充電回路板に電気的に接続されて前記携帯電話スタンドの現在の動作状態を指示することに用いられる指示用ライトガイドをさらに含み、
前記指示用ライトガイドは、前記ケースの外側に設けられている、ことを特徴とする請求項８に記載の携帯電話スタンド。
【請求項１０】
前記吸着カップの開口部には、吸い込んだ空気をろ過するための防塵ネットが設けられ、
前記ケースには、締付ナットがスリップジョイントされた円柱形凸部がさらに設けられ、
前記締付ナットは、前記円柱形凸部に螺合されて前記携帯電話スタンドを固定することに用いられる、ことを特徴とする請求項９に記載の携帯電話スタンド。
【発明の詳細な説明】
【技術分野】
【０００１】
本願は、固定装置の技術分野に係り、特に固定装置および携帯電話スタンドに係る。
【背景技術】
【０００２】
固定用スタンド技術の発展に伴い、固定用スタンドの応用分野およびシーンは、ますます広くなり、特に携帯電話スタンドに関し、ユーザから固定用スタンドに対する要求も高まっている。従来の携帯電話スタンドは、通常フラットプレート構造または傾斜スタンド構造として設計され、携帯電話を対応するスタンドに収容することで、ユーザの使用に供する。しかし、走行中の自動車など、ユーザがスタンドを使用するシーンが比較的複雑である場合、携帯電話が携帯電話スタンドから落下し、ユーザの使用満足度に影響を与えることになる。
【０００３】
従来技術において、携帯電話スタンドから携帯電話の落下を防止するために、通常、携帯電話を磁石で吸着する方式で携帯電話を携帯電話スタンドに固定させる。しかし、このような方式は、携帯電話の固定の安定性および信頼性が比較的低く、ユーザの満足度が比較的に悪い。また、このような携帯電話スタンドは、無線充電機能を有していない。
【発明の概要】
【発明が解決しようとする課題】
【０００４】
上述した少なくとも１つの技術課題を解決するために、本願の主な目的は、被固定物を効果的に固定できる固定装置および携帯電話スタンドを提供することである。
【課題を解決するための手段】
【０００５】
上述した目的を実現するために、本願の１つの技術手段として、吸着カップと、前記吸着カップに接続され、空気を吸引して前記吸着カップで負圧を形成し、電子製品である被固定物を吸着して固定することに用いられるエアポンプとを含む固定装置を提供する。
【０００６】
１つの実施例において、前記固定装置は、内部に前記エアポンプが固定されたケースをさらに含み、前記吸着カップは、前記ケースの外部に設けられ、空気案内管を介して前記エアポンプに接続される。
【０００７】
１つの実施例において、前記エアポンプは、マイクロ圧電エアポンプである。
【０００８】
１つの実施例において、前記吸着カップは、軟質ゴム吸着カップである。
【０００９】
１つの実施例において、前記吸着カップは、漏斗部と前記漏斗部の外側を囲む環状部とから構成され、吸着カップカバープレートを介して前記ケースの外側に固定される。
【００１０】
１つの実施例において、前記吸着カップカバープレートには、前記吸着カップと前記被固定物との摩擦力を大きくするための一方向案内模様付の軟質ゴム滑り止めマットが設けられている。
【００１１】
上述した目的を実現するために、本願のもう１つの技術手段として、上述したいずれか１つの固定装置を含む携帯電話スタンドを提供する。
【００１２】
１つの実施例において、前記携帯電話スタンドは、前記ケースの内部に設けられ、前記ケースの外部に延び出るＵＳＢインタフェースが設けられた充電回路板と、前記ケースの内部の片側に設けられて前記充電回路板に電気的に接続された無線充電送信コイルと、前記充電回路板と前記無線充電送信コイルとの間に設けられた磁性シートとをさらに含む。
【００１３】
１つの実施例において、前記充電回路板に電気的に接続されて前記携帯電話スタンドの現在の動作状態を指示することに用いられる指示用ライトガイドをさらに含み、前記指示用ライトガイドは、前記ケースの外側に設けられている。
【００１４】
１つの実施例において、前記吸着カップの開口部には、吸い込んだ空気をろ過するための防塵ネットが設けられ、前記ケースには、締付ナットがスリップジョイントされた円柱形凸部がさらに設けられ、前記締付ナットは、前記円柱形凸部に螺合されて前記携帯電話スタンドを固定することに用いられる。
【発明の効果】
【００１５】
本願の技術手段における固定装置は、吸着カップと、前記吸着カップに接続され、空気を吸引して吸着カップで負圧を形成し、被固定物を吸着して固定することに用いられるエアポンプとを含む。当該固定装置は、エアポンプで吸着カップの中の空気を吸い取ることによって、被固定物と吸着カップを確実に固定させ、被固定物の落下を防止し、固定装置の安定性および信頼性を高める。
【００１６】
本願の技術手段における携帯電話スタンドは、上述した固定装置を含む。当該携帯電話スタンドは、エアポンプで吸着カップの中の空気を吸い取ることによって、携帯電話と吸着カップを確実に固定させ、スタンドから携帯電話の落下を防止し、携帯電話スタンドの安定性および信頼性を高める。
【図面の簡単な説明】
【００１７】
【図１】本願の一実施例における固定装置の分解図である。
【図２】本願の一実施例における固定装置の全体構造図である。
【図３】本願の一実施例における固定装置の正面図である。
【図４】本願の一実施例における固定装置の背面図である。
【発明を実施するための形態】
【００１８】
実施例および添付図面を通して本願の目的の実現、機能的特徴および利点をさらに説明する。
【００１９】
以下、本願の実施例の図面を通して、本願の実施例における技術手段を明確かつ完全的に記載する。明らかに、記載される実施例は、単に本願の実施例の一部に過ぎず、すべてではない。本願の実施例に基づき、当業者が創造性のある作業を付さなくても為したすべてのほかの実施例は、いずれも本願の保護範囲に属するものである。
【００２０】
なお、本願における「第１」、「第２」などの記載は、記載という目的のみに用いられ、それらの相対的重要性を示すもしくは暗示する、または示される技術的特徴の数を暗黙的に示すと解釈されるべきではない。したがって、「第１」および「第２」で限定された特徴は、明示的または暗黙的のいずれかで、特徴のうちの少なくとも１つを含み得る。さらに、各実施例の技術手段は、互いに組み合わせることができるが、当業者によって実現可能であることに基づくものでなければならず、技術手段の組み合わせが矛盾するかまたは実施不可能である場合、技術手段の組み合わせは存在しないと見なされ、本願の保護範囲内でもない。本願の主な目的は、携帯電話を効果的に固定することのできる吸着カップ式携帯電話スタンドを提供することである。
【００２１】
従来技術において、従来の携帯電話スタンドは、通常、フラットプレート構造または傾斜スタンド構造として設計され、携帯電話を対応するスタンドに収容することで、ユーザの使用に供する。しかし、走行中の自動車など、ユーザがスタンドを使用するシーンが比較的複雑である場合、携帯電話が携帯電話スタンドから落下し、ユーザの使用後の評価に影響を与えることになる。従来技術において、携帯電話スタンドから携帯電話の落下を防止するために、通常携帯電話を磁石で吸着する方式で携帯電話を携帯電話スタンドに固定させる。しかし、このような方式は、携帯電話の固定の安定性および信頼性が比較的低く、ユーザの評価が比較的に悪い。
【００２２】
図１〜４を参照する。図１は、本実施例における固定装置の分解図である。図２は、本実施例における固定装置の全体構造図である。図３は、本実施例における固定装置の正面図である。図４は、本実施例における固定装置の背面図である。本実施例における固定装置は、吸着カップ２００と、前記吸着カップ２００に接続され、空気を吸引して吸着カップ２００で負圧を形成し、電子製品である被固定物を吸着して固定することに用いられるエアポンプ４００とを含む。
【００２３】
本実施例において、当該固定装置は、エアポンプ４００で吸着カップ２００の中の空気を吸い取ることによって、被固定物と吸着カップ２００を確実に固定させ、被固定物の落下を防止し、固定装置の安定性および信頼性を高める。
【００２４】
具体的に、当該固定装置は、収容室が設けられたスタンド本体をさらに含む。
【００２５】
当該スタンド本体は、携帯電話および関連部品を支持することに用いられる。当該スタンドは、たとえばタブレットパソコンなどのスマート移動機器を支持することにも用いられると理解できる。スタンド本体には、対応する機能的部品を収容するための収容室が設けられている。
【００２６】
１つの具体的な実施例において、当該スタンド本体は、パネル１００と第１ケース３００を含む。パネル１００と第１ケース３００によって収容室を形成する。
【００２７】
具体的に、当該パネル１００は、円形のフラットプレートである。当該パネル１００は、方形など任意の適切な形状であってもよいと理解できる。当該第１ケース３００は、半球状のケースであり、着脱しやすいようにパネル１００に係合される。第１ケース３００とパネル１００は、エアポンプおよび回路板などの部品を収容するための半球状の空室を形成する。
【００２８】
軟質ゴム吸着カップ２００は、パネル１００における収容室の反対側に設けられる。軟質ゴム吸着カップ２００とパネル１００には、互いに整合する孔が設けられている。
【００２９】
具体的に、軟質ゴム吸着カップ２００は、パネル１００の外側に設けられている。当該パネル１００は、円形パネルであり、円形パネルの中央には、軟質ゴム吸着カップ２００を収容するための円形溝が設けられている。軟質ゴム吸着カップ２００とパネル１００には、空気案内管５００に接続するための、大きさが整合する円形貫通孔が設けられている。
【００３０】
１つの具体的な実施例において、軟質ゴム吸着カップ２００は、円環状の漏斗形状であり、環状領域が軟質ゴムであり、漏斗形状領域が硬質ゴムであり、吸着カップカバープレート２１０を介してパネル１００に固定される。吸着カップカバープレート２１０は、軟質ゴム吸着カップ２００をパネル１００に確実に係合させ、軟質ゴム吸着カップ２００を落下させない。本実施例における軟質ゴム吸着カップ２００は、環状領域が軟質ゴムであり、漏斗形状領域が硬質ゴムであり、軟質ゴムで密封機能を発揮し、中間の硬質ゴムで支持機能を発揮し、吸着カップの全体面積を大きくし、同一圧力で軟質ゴム吸着カップの吸引力を高める。
【００３１】
１つの具体的な実施例において、吸着カップカバープレート２１０には、一方向案内模様付の軟質ゴム滑り止めマット２１２がさらに設けられている。吸着カップカバープレート２１０上の軟質ゴム滑り止めマット２１２によって、軟質ゴム吸着カップ２００と携帯電話の接続箇所の摩擦力を大きくし、携帯電話をより確実に軟質ゴム吸着カップ２００に接続させ、軟質ゴム吸着カップ２００から携帯電話の落下を防止する。また、軟質ゴム滑り止めマット２１２には一方向案内模様が設けられ、具体的に当該一方向案内模様は、上方向への矢印形状である。このような一方向案内模様によって、携帯電話が下方へ移動する際に受ける摩擦力を最大にし、左または右へ移動する際に摩擦力を比較的小さいものにし、上へ移動する際の摩擦力を最も小さくし、ユーザが上へ携帯電話を取るのに有利である。また、スタンドから携帯電話が落下するを効果的に防止でき、スタンドの信頼性を高める。
【００３２】
エアポンプ４００は、収容室内に設けられている。エアポンプ４００は、空気案内管５００に接続される。空気案内管５００の他端は、軟質ゴム吸着カップ２００の開口に接続される。
【００３３】
具体的に、吸着カップ式携帯電話スタンドの体積を小さくするために、１つの具体的な実施例において使用されるエアポンプ４００は、マイクロ圧電エアポンプである。これにより、吸着カップ式携帯電話スタンドの体積を効果的に小さくすることができる。また、使用されるエアポンプ４００は、遠心ポンプであってもよいと理解可能である。遠心ポンプは、電力損失が小さく、騒音が低いといった利点を有する。
【００３４】
上記実施例において、当該携帯電話スタンドは、エアポンプで軟質ゴム吸着カップの中の空気を吸い取ることによって、携帯電話と軟質ゴム吸着カップを確実に固定させ、携帯電話の落下を防止し、携帯電話スタンドの安定性および信頼性を高める。
【００３５】
１つの実施例において、図１〜４の携帯電話スタンドは、収容室に設けられた充電回路板６００をさらに含む。
【００３６】
具体的に、当該充電回路板６００は、円環状であり、第１ケースの内部に収容可能である。当該充電回路板６００は、エアポンプ制御機能モジュールを含む。当該エアポンプ制御モジュールは、関連回路を制御して無線充電およびエアポンプの制御機能を実現することに用いられる。具体的に、吸着カップ式携帯電話スタンドには、現在、吸着カップに貼り合わせられる機器があるかを識別可能なセンサがさらに設けられている。吸着カップの動作論理の例として、外部電源から給電されると、吸着カップ式携帯電話スタンドのエアポンプが常に動作状態に保持するが、外部電源からの給電がない場合、物体が吸着カップに貼り合わせられた時間がたとえば１秒の閾値に達したことをセンサによって識別すると、吸着カップ式携帯電話スタンドのエアポンプを起動させるように制御する。
【００３７】
１つの具体的な実施例において、充電回路板６００には、さらに、前記ケースの外部に延び出るＵＳＢインタフェース６１０が設けられている。具体的に、ユーザは、当該ＵＳＢインタフェースを介して吸着カップ式携帯電話スタンドと電源を接続して充電する。また、当該吸着カップ式携帯電話スタンドには電池も含まれる。吸着カップ式携帯電話スタンドが外部給電の停止を検出すると、当該電池から装置全体に給電し、吸着カップ式携帯電話スタンドから携帯電話の落下を防止し、スタンドの信頼性を高める。
【００３８】
無線充電送信コイル７００は、パネル１００の収容室側に設けられて充電回路板６００に電気的に接続される。
【００３９】
充電回路板６００と無線充電送信コイル７００との間には、さらに磁性シート６２０が設けられている。
【００４０】
一次コイルによって放出された磁場エネルギーが二次コイルにできるだけ多く作用することを可能にするために、磁性シート６２０は、一次コイルの磁場を案内する。また、コイルに磁界が作用して高周波電流が発生し、その過程でコイル自体も発熱する。この熱は、効果的に放出されなければ集中する。無線充電の際に発熱が非常に大きいと感じる要因は、通常はコイルの発熱または回路板の発熱である。コイルの熱と回路板の熱とを効果的に伝導させる方法として、コイル、磁性シート、回路板を低温低電圧ＩＣパッケージング工程により熱伝導性樹脂材料で完全に封止してパッケージングする方法が一般的である。このように、熱が効果的に放出され、良好な放熱効果が達成される。
【００４１】
１つの実施例において、図１〜４の携帯電話スタンドには、さらに、充電回路板６００に電気的に接続されて現在の充電状態を指示することに用いられる指示用ライトガイド８００が、第１ケース３００に設けられている。上記充電状態は、故障指示、充電電圧指示、充電完了指示等を含むが、それらに限定されない。
【００４２】
１つの具体的な実施例において、指示用ライトガイド８００は、環状の多色指示ランプである。具体的に、たとえばＲＧＢ指示ランプであって、異なる色によって吸着カップ式携帯電話スタンドの現在の動作状態をユーザに知らせる。当該吸着カップ式携帯電話スタンドは、たとえばブザーなど、ほかの補助的な機能装置をさらに含んでもよいと理解できる。吸着カップ式携帯電話スタンドの電量が一定の閾値より低くなり、またはほかのエラー状態になると、音声でユーザに知らせることでユーザの使用満足度を高める。
【００４３】
本実施例において、指示用ライトガイド８００で現在の充電状態を指示することができる。これにより、ユーザが直感的に携帯電話スタンドの動作状態を知ることに有利であり、ユーザの使用満足度を高める。
【００４４】
１つの実施例において、図１〜４の携帯電話スタンドの第１ケース３００には、突起した第２ケース３１０をさらに含む。第２ケース３１０には、締付具が設けられている。具体的に、当該締付具は、当該携帯電話スタンドをほかの機器に固定することに用いられる。ユーザは、当該締付具によって当該吸着カップ式携帯電話スタンドを自動車の異なる位置に固定させることができ、その使用シーンもより広範になる。
【００４５】
１つの具体的な実施例において、第２ケース３１０には、締付ナット３１４がスリップジョイントされた円柱形凸部３１２がさらに設けられている。締付ナット３１４は、円柱形凸部３１２に螺合される。
【００４６】
１つの具体的な実施例において、軟質ゴム吸着カップ２００の開口部には、防塵ネット２１４が設けられている。当該防塵ネット２１４は、エアポンプ４００で塵を吸い込んで空気案内管５００が詰まることを防止するために用いられる。具体的に、硬質ゴムの中間吸引口には防塵ネット２１４が設けられ、異物の吸い込みを効果的に防止することができる。
【００４７】
本実施例において、締付ナット３１４で携帯電話スタンドを異なる機器に螺合させて固定することは、ユーザの使用に有利である。
【００４８】
上記の記載は、本願の好ましい実施形態にすぎず、本願の特許範囲を限定することはない。本願の発明思想に基づいて、本願の明細書および添付図面の内容を利用して為した同等構造の変更、または、ほかの関連技術分野への直接／間接的な応用は、いずれも本願の特許保護範囲に含まれる。
【００４９】
（付記）
（付記１）
吸着カップと、
前記吸着カップに接続され、空気を吸引して前記吸着カップで負圧を形成し、電子製品である被固定物を吸着して固定することに用いられるエアポンプと、を含むことを特徴とする固定装置。
【００５０】
（付記２）
内部に前記エアポンプが固定されたケースをさらに含み、
前記吸着カップは、前記ケースの外部に設けられ、空気案内管を介して前記エアポンプに接続される、ことを特徴とする付記１に記載の固定装置。
【００５１】
（付記３）
前記エアポンプは、マイクロ圧電エアポンプである、ことを特徴とする付記２に記載の固定装置。
【００５２】
（付記４）
前記吸着カップは、軟質ゴム吸着カップである、ことを特徴とする付記３に記載の固定装置。
【００５３】
（付記５）
前記吸着カップは、漏斗部と前記漏斗部の外側を囲む環状部とから構成され、吸着カップカバープレートを介して前記ケースの外側に固定される、ことを特徴とする付記４に記載の固定装置。
【００５４】
（付記６）
前記吸着カップカバープレートには、前記吸着カップと前記被固定物との摩擦力を大きくするための一方向案内模様付の軟質ゴム滑り止めマットが設けられている、ことを特徴とする付記５に記載の固定装置。
【００５５】
（付記７）
付記１〜６のいずれか一つに記載の固定装置を含む、ことを特徴とする携帯電話スタンド。
【００５６】
（付記８）
付記２〜６のいずれか一つに記載の固定装置を含み、
前記ケースの内部に設けられ、前記ケースの外部に延び出るＵＳＢインタフェースが設けられた充電回路板と、
前記ケースの内部の片側に設けられて前記充電回路板に電気的に接続された無線充電送信コイルと、
前記充電回路板と前記無線充電送信コイルとの間に設けられた磁性シートと、をさらに含む、ことを特徴とする携帯電話スタンド。
【００５７】
（付記９）
前記充電回路板に電気的に接続されて前記携帯電話スタンドの現在の動作状態を指示することに用いられる指示用ライトガイドをさらに含み、
前記指示用ライトガイドは、前記ケースの外側に設けられている、ことを特徴とする付記８に記載の携帯電話スタンド。
【００５８】
（付記１０）
前記吸着カップの開口部には、吸い込んだ空気をろ過するための防塵ネットが設けられ、
前記ケースには、締付ナットがスリップジョイントされた円柱形凸部がさらに設けられ、
前記締付ナットは、前記円柱形凸部に螺合されて前記携帯電話スタンドを固定することに用いられる、ことを特徴とする付記９に記載の携帯電話スタンド。
【符号の説明】
【００５９】
１００−パネル、２００−軟質ゴム吸着カップ、２１０−吸着カップカバープレート、２１２−軟質ゴム滑り止めマット、２１４−防塵ネット、３００−第１ケース、３１０−第２ケース、３１２−円柱形凸部、３１４−締付ナット、４００−エアポンプ、５００−空気案内管、６００−充電回路板、６１０−ＵＳＢインタフェース、６２０−磁性シート、７００−無線充電送信コイル、８００−指示用ライトガイド。
【図１】
2020039111.tif 000003
【図２】
2020039111.tif 000004
【図３】
2020039111.tif 000005
【図４】
2020039111.tif 000006